(57)【要約】【課題】  センサーシートを検知のための適切な位置に配置すること継続可能とし、また、導電性布のような柔軟な電極が用いられるセンサーシートの感圧感度の低下を防止する。【解決手段】  センサーシート１は、ベッド３に巻回されるベルト５により、ベッド３に固定される。センサーシート１は、長方形状の感圧部７を有し、感圧部７の短辺からベルト５ａ，５ｂが延びている。ベルト５ａ，５ｂは弾力性がある材質でできている。ベルト５ａの一端にはバックル９ａが設けられ、ベルト５ｂの他端にはバックル９ｂが設けられている。また、センサーシート１は、感圧部７が検知した検知信号を出力するためのライン１１を有しており、そのライン１１の先端には端子１３が設けられている。【選択図】  図２
0003139640.tif 000002
【実用新案登録請求の範囲】
【請求項１】
検知対象物が載置される台の上に配置され、前記検知対象物から加わる荷重を検知する感圧のセンサーシートであって、
前記検知対象物が前記台の上で動いても前記センサーシートを配置された位置に復帰させるためのベルトを備えた、センサーシート。
【請求項２】
検知対象物が載置される台の上に配置され、前記検知対象物から加わる荷重を検知する感圧のセンサーシートであって、
前記センサーシートを前記台に固定するベルトを備え、
前記ベルトの一端は前記センサーシートの一部に接続し、前記ベルトの他端は前記センサーシートの他部に接続し、前記ベルトは前記センサーシートを外方に向けて引っ張ることを特徴とする、センサーシート。
【請求項３】
検知対象物が載置される台の上に配置され、前記検知対象物から加わる荷重を検知する感圧のセンサーシートであって、
前記センサーシートを前記台に固定するベルトを備え、
前記ベルトの一端は前記センサーシートの一部に接続し、前記ベルトの他端は前記センサーシートの他部に接続し、前記ベルトは伸び縮みする弾性力を有することを特徴とする、センサーシート。
【請求項４】
前記ベルトの一端又は他端は、前記センサーシートの一部又は他部と着脱可能である、請求項２又は３記載のセンサーシート。
【請求項５】
前記センサーシートの着脱可能な一部又は他部は、感圧部分ではないことを特徴とする、請求項４記載のセンサーシート。
【請求項６】
検知対象物が載置される台の上に配置され、前記検知対象物から加わる荷重を検知する感圧のセンサーシートを前記台に固定するベルトであって、
その一端は前記センサーシートの一部に着脱可能で接続し、その他端は前記センサーシートの他部に着脱可能で接続し、伸び縮みする弾性力を有して前記センサーシートの前記一部及び前記他部をそれぞれ外方に向けて引っ張ることを特徴とするベルト。
【考案の詳細な説明】
【技術分野】
【０００１】
本考案は、センサーシート、及び、ベルトに関し、特に、圧力を計測して人の所在の有無を検知するセンサーシート等に関する。
【背景技術】
【０００２】
現在、椅子やベッド上に人が所在するかどうかを検知する方法や装置等の研究開発が進められている。その方法の１つとして、人の体重による圧力を検知して所在の有無を判定する方法が一般的に行われている。
【０００３】
特許文献１は、ベッドからの離床や起き上がりを検知するために、荷重の増減と空気圧の作用によって作動するパネル式のセンサーをベッドに設置し、電気的な信号の変化によりベッドの上の人の移動を検知する技術が示されている。
【０００４】
また、大きな感圧素子を利用して大面積を感圧する場合、小さな感圧素子を複数並べて配線して大面積を感圧する場合がある。そして、感圧のための電極には、柔軟な電極（フレキシブル基板、金属蒸着フィルム、導電性インク印刷フィルム、導電性布など）も用いられる。
【０００５】
【特許文献１】特開２００５−１５２６１６号公報
【考案の開示】
【考案が解決しようとする課題】
【０００６】
ところで、センサーシートは、ベッドの上の人の移動を検知するが、人が移動することにより、設置当初には折り曲げが生じていなくても折り曲げ状態となることがおきる。また、人が移動することにより、センサーシートも移動し、ベッド上の検知のための適切な配置（検知）位置からズレが生じてしまうこともあった。
【０００７】
特に、折り曲げに強い導電性布であっても、折り曲げられた状態での使用は感圧の感度に影響がでてくることは避けられないばかりか、鋭角な折り曲げによって配線の断線に等しい状況が生じないと断定はできない。また、導電性布は金属メッキされた布や糸で作られており、折り皴によって金属メッキの剥離が生じる場合もあり得、耐久性に関しても不十分な点がある。
【０００８】
ゆえに、本考案は、センサーシートを検知のための適切な位置に配置することを継続可能とし、また、導電性布のような柔軟な電極が用いられるセンサーシートの感圧感度の低下を防止することを目的とする。
【課題を解決するための手段】
【０００９】
請求項１に係る考案は、検知対象物が載置される台の上に配置され、前記検知対象物から加わる荷重を検知する感圧のセンサーシートであって、前記検知対象物が前記台の上で動いても前記センサーシートを配置された位置に復帰させるためのベルトを備える。
【００１０】
請求項２に係る考案は、検知対象物が載置される台の上に配置され、前記検知対象物から加わる荷重を検知する感圧のセンサーシートであって、前記センサーシートを前記台に固定するベルトを備え、前記ベルトの一端は前記センサーシートの一部に接続し、前記ベルトの他端は前記センサーシートの他部に接続し、前記ベルトは前記センサーシートを外方に向けて引っ張ることを特徴とするものである。
【００１１】
請求項３に係る考案は、検知対象物が載置される台の上に配置され、前記検知対象物から加わる荷重を検知する感圧のセンサーシートであって、前記センサーシートを前記台に固定するベルトを備え、前記ベルトの一端は前記センサーシートの一部に接続し、前記ベルトの他端は前記センサーシートの他部に接続し、前記ベルトは伸び縮みする弾性力を有することを特徴とするものである。
【００１２】
請求項４に係る考案は、請求項２又は３において、前記ベルトの一端又は他端は、前記センサーシートの一部又は他部と着脱可能であるものである。
【００１３】
請求項５に係る考案は、請求項４において、前記センサーシートの着脱可能な一部又は他部は、感圧部分ではないことを特徴とするものである。
【００１４】
請求項６に係る考案は、検知対象物が載置される台の上に配置され、前記検知対象物から加わる荷重を検知する感圧のセンサーシートを前記台に固定するベルトであって、その一端は前記センサーシートの一部に着脱可能で接続し、その他端は前記センサーシートの他部に着脱可能で接続し、伸び縮みする弾性力を有して前記センサーシートの前記一部及び前記他部をそれぞれ外方に向けて引っ張ることを特徴とするものである。
【考案の効果】
【００１５】
本考案によれば、ベルトにより、人といった検知対象物がベッドといった台の上で動いてセンサーシートにも適切な検知のために配置された位置からズレが生じようとしても、センサーシートを配置された位置に復帰させることができ、適切な検知位置での検知を行える。また、本考案によれば、ベルトにより、センサーシートが張った状態になり、折り曲がりが生じることを防止し、また折り皴が生じることを防止し、センサーシートの感圧感度の低下を防止できる。
【考案を実施するための最良の形態】
【００１６】
図１は本考案の第１の実施の形態に係るセンサーシートの使用状態の一例を示す図である。図２は図１のセンサーシートを示す図であって図２（Ａ）は正面図、図２（Ｂ）は平面図、図２（Ｃ）は底面図であり、図３は図１のセンサーシートを示す図であって図３（Ａ）は背面図、図３（Ｂ）は左側面図、図３（Ｅ）は右側面図である。図４は図２（Ａ）に示すベルトの一部拡大図である。
【００１７】
図１を参照して、センサーシート１は、ベッド３に巻回されるベルト５により、ベッド３に固定される。
【００１８】
図２〜図４を参照して、センサーシート１は、長方形状の感圧部７を有し、感圧部７の短辺からベルト５ａ，５ｂが延びている。ベルト５ａ，５ｂは弾力性がある材質でできている。ベルト５ａの一端にはバックル９ａが設けられ、ベルト５ｂの他端にはバックル９ｂが設けられている。また、センサーシート１は、感圧部７が検知した検知信号を出力するためのライン１１を有しており、そのライン１１の先端には端子１３が設けられている。
【００１９】
図５は図１に示す使用状態となるためのバックル９ａ，９ｂの取り付け方法を説明するための図である。
【００２０】
バックル９ａには突起部９１と孔部９２が形成され、バックル９ｂには孔部９２に対応する突起部９４と突起部９１に対応する孔部９３が形成されている。バックル９ａとバックル９ｂとが互いに逆回転し、突起部９１と孔部９３とが嵌合し、孔部９２と突起部９４とが嵌合する。なお、図２等に示す長さ調節部１０により、ベルト５ｂの長さ調節が可能となっており、センサーシート１のベッド３への十分な固定を可能としている。
【００２１】
図６は本考案の第２の実施の形態に係るセンサーシートを示す図であって図６（Ａ）は正面図、図６（Ｂ）は平面図、図６（Ｃ）は底面図であり、図７は図６のセンサーシートを示す図であって図７（Ａ）は背面図、図７（Ｂ）は左側面図、図７（Ｃ）は右側面図である。以下、図２及び図３に示したセンサーシートと異なる点を説明する。
【００２２】
このセンサーシート１５では、ベルト１７ａ，１７ｂが設けられ、それぞれにバックル１９ａ，１９ｂが設けられている。しかし、ベルト１７ｂは、短く、ベッド３を巻回する長さには不十分である。そのため、別体のベルトが準備される。
【００２３】
図８は別体のベルトを示す図である。
【００２４】
ベルト２１は、ベッド３を巻回するための十分な長さがあり、両端にはそれぞれバックル２３ａ，２３ｂが設けられている。また、ベルト２１は長さ調節部２２も有している。
【００２５】
図６等のバックル１９ａ，１９ｂと図８のバックル２３ａ，２３ｂとが互いに取り付けられることにより、センサーシート１５はベッド３へ固定される。
【００２６】
図９は本考案の第３の実施の形態に係るセンサーシートを示す図であって図９（Ａ）は正面図、図９（Ｂ）は平面図、図９（Ｃ）は底面図であり、図１０は図９のセンサーシートを示す図であって図１０（Ａ）は背面図、図１０（Ｂ）は左側面図、図１０（Ｃ）は右側面図である。以下、図２等と異なる点を説明する。
【００２７】
このセンサーシート１６では、ライン１１の感圧部７側との接続部分に耳部１８が形成され、ライン１１の折れ曲がり等による断線防止の工夫が施されている。また、この耳部１８はベルト５ａを覆うように短辺に沿って延びて形成されており、ベルト５ａ，５ｂで引っ張った際にバックル９ａ，９ｂとの結合により感圧部７に生じる可能性がある皴等の偏りが生じることを防止している。
【００２８】
図１１は本考案の第４の実施の形態に係るセンサーシートを示す図であって図１１（Ａ）は正面図、図１１（Ｂ）は平面図、図１１（Ｃ）は底面図であり、図１２は図１１のセンサーシートを示す図であって図１２（Ａ）は背面図、図１２（Ｂ）は左側面図、図１２（Ｃ）は右側面図である。以下、図６等と異なる点を説明する。
【００２９】
このセンサーシート２０では、図９のセンサーシート１６と同様に、ライン１１の感圧部７側との接続部分に耳部１８が形成され、ライン１１の折れ曲がり等による断線防止の工夫が施されている。また、この耳部１８はベルト１７ａを覆うように短辺に沿って延びて形成されており、ベルト１９ａと図８のベルト２１とで引っ張った際にバックル１９ａ，２３ａ（２３ｂ）との結合により感圧部７に生じる可能性がある皴等の偏りが生じることを防止している。同様に、このセンサーシート２０では、ベルト１７ｂを覆うように短辺に沿って延びる耳部２４が形成されており、ベルト１９ｂと図８のベルト２１とで引っ張った際にバックル１９ｂ，２３ｂ（２３ａ）との結合により感圧部７に生じる可能性がある皴等の偏りが生じることも防止している。
【００３０】
図１３は本考案の第５の実施の形態に係るセンサーシートの使用状態の一例を示す図である。図１４は図１３のセンサーシートを示す図であって図１４（Ａ）は正面図、図１４（Ｂ）は平面図、図１４（Ｃ）は底面図であり、図１５は図１３のセンサーシートを示す図であって図１５（Ａ）は背面図、図１５（Ｂ）は左側面図、図１５（Ｃ）は右側面図である。図１６は図１４（Ａ）に示すベルトの一部拡大図である。以下、特に図２及び図３に示したセンサーシートと異なる点を説明する。
【００３１】
センサーシート２５は感圧部７の短辺の一方からベルト２７を延ばしており、そのベルト２７の先端にはクリップ２９が設けられている。また、センサーシート２５の感圧部７の短辺の他方には耳状の取付部分３１が形成されている。取付部分３１には図１６に示すように複数の溝３２が形成され、クリップ２９の歯が溝３２に引っ掛かるようになっている。これによって、ベルト２７がベッド３を巻回できるようになっている。
【００３２】
図１７は本考案の第６の実施の形態に係るセンサーシートの使用状態の一例を示す図である。図１８は図１７のセンサーシートを示す図であって図１８（Ａ）は正面図、図１８（Ｂ）は平面図、図１８（Ｃ）は底面図であり、図１９は図１７のセンサーシートを示す図であって図１９（Ａ）は背面図、図１９（Ｂ）は左側面図、図１９（Ｃ）は右側面図である。図２０は別体のベルトを示す図である。
【００３３】
このセンサーシート３５では、図１４のベルト２７に代えて取付部分３７が設けられている。そして、取付部分３１と取付部分３７を挟むことが可能なクリップ４１、４３を両端に有するベルト３９が用いられ、ベルト３９がベッド３を巻回してセンサーシート３５をベッド３に固定している。
【００３４】
図２１は、図１８の取付部分３７に図２０のベルトのクリップ４１（４３）に取り付けられる様子を示した図である。図１８の取付部分３１への取り付けも、図２１に示す場合と同様である。
【００３５】
以上のような実施の形態によって、センサーシートは人の所在の有無の検知が適切に行われる位置に配置されて固定される。また、ベッドの上で人が寝返り等して動いた場合にも、配置位置からズレを生じてしまうことが防止され、またベルトがゴムなどの弾性力を有することによりズレが生じたとしても当初の配置位置に復帰することになる。さらに、特に弾性力を有するベルトであれば、センサーシートは両側に引っ張られ、センサーシートが折り曲がることを防止し、折り皴が生じてしまうことも予防できる。
【図面の簡単な説明】
【００３６】
【図１】本考案の第１の実施の形態に係るセンサーシートの使用状態の一例を示す図である。
【図２】図１のセンサーシートを示す図であって図２（Ａ）は正面図、図２（Ｂ）は平面図、図２（Ｃ）は底面図である。
【図３】図１のセンサーシートを示す図であって図３（Ａ）は背面図、図３（Ｂ）は左側面図、図３（Ｅ）は右側面図である。
【図４】図２（Ａ）に示すベルトの一部拡大図である。
【図５】図１に示す使用状態となるためのバックル９ａ，９ｂの取り付け方法を説明するための図である。
【図６】本考案の第２の実施の形態に係るセンサーシートを示す図であって図６（Ａ）は正面図、図６（Ｂ）は平面図、図６（Ｃ）は底面図である。
【図７】図６のセンサーシートを示す図であって図７（Ａ）は背面図、図７（Ｂ）は左側面図、図７（Ｃ）は右側面図である。
【図８】別体のベルトを示す図である。
【図９】本考案の第３の実施の形態に係るセンサーシートを示す図であって図９（Ａ）は正面図、図９（Ｂ）は平面図、図９（Ｃ）は底面図である。
【図１０】図９のセンサーシートを示す図であって図１０（Ａ）は背面図、図１０（Ｂ）は左側面図、図１０（Ｃ）は右側面図である。
【図１１】本考案の第４の実施の形態に係るセンサーシートを示す図であって図１１（Ａ）は正面図、図１１（Ｂ）は平面図、図１１（Ｃ）は底面図である。
【図１２】図１１のセンサーシートを示す図であって図１２（Ａ）は背面図、図１２（Ｂ）は左側面図、図１２（Ｃ）は右側面図である。
【図１３】本考案の第５の実施の形態に係るセンサーシートの使用状態の一例を示す図である。
【図１４】図１３のセンサーシートを示す図であって図１４（Ａ）は正面図、図１４（Ｂ）は平面図、図１４（Ｃ）は底面図である。
【図１５】図１３のセンサーシートを示す図であって図１５（Ａ）は背面図、図１５（Ｂ）は左側面図、図１５（Ｃ）は右側面図である。
【図１６】図１４（Ａ）に示すベルトの一部拡大図である。
【図１７】本考案の第６の実施の形態に係るセンサーシートの使用状態の一例を示す図である。
【図１８】図１７のセンサーシートを示す図であって図１８（Ａ）は正面図、図１８（Ｂ）は平面図、図１８（Ｃ）は底面図である。
【図１９】図１７のセンサーシートを示す図であって図１９（Ａ）は背面図、図１９（Ｂ）は左側面図、図１９（Ｃ）は右側面図である。
【図２０】別体のベルトを示す図である。
【図２１】図１８の取付部分３７に図２０のベルトのクリップ４１（４３）に取り付けられる様子を示した図である。
【符号の説明】
【００３７】
１、１５、１６、２０、２５、３５  センサーシート      ５ａ、５ｂ、１７ａ、１７ｂ、２１、２７、３９  ベルト      ７  感圧部分      ３１、３７  取付部分
【図１】
0003139640.tif 000003
【図２】
0003139640.tif 000004
【図３】
0003139640.tif 000005
【図４】
0003139640.tif 000006
【図５】
0003139640.tif 000007
【図６】
0003139640.tif 000008
【図７】
0003139640.tif 000009
【図８】
0003139640.tif 000010
【図９】
0003139640.tif 000011
【図１０】
0003139640.tif 000012
【図１１】
0003139640.tif 000013
【図１２】
0003139640.tif 000014
【図１３】
0003139640.tif 000015
【図１４】
0003139640.tif 000016
【図１５】
0003139640.tif 000017
【図１６】
0003139640.tif 000018
【図１７】
0003139640.tif 000019
【図１８】
0003139640.tif 000020
【図１９】
0003139640.tif 000021
【図２０】
0003139640.tif 000022
【図２１】
0003139640.tif 000023